(57)【要約】【課題】操作性を低下させることなく１コマ再生モードと分割再生モードとを切り換えることができる撮像装置を提供する。【解決手段】デジタルカメラ１は、液晶モニタ９の一画面に一つの画像を表示させる１コマ再生モードと、液晶モニタ９の一画面に複数の画像を表示させる分割再生モードとを備え、１コマ再生モードの実行時に画像を順次表示させるための「コマ送り」ボタン１２及び「コマ戻し」ボタン１３が設けられ、これらの「コマ送り」ボタン１２及び「コマ戻し」ボタン１３により１コマ再生モードと分割再生モードとが切り換えられる。【選択図】　　　図８
2004072257.tif 000002
【特許請求の範囲】
【請求項１】
表示手段の一画面に一つの画像を表示させる１コマ再生モードと、前記表示手段の一画面に複数の画像を表示させる分割再生モードとを備え、
前記１コマ再生モードの実行時に画像を順次表示させるための操作ボタンが設けられ、該操作ボタンにより前記１コマ再生モードと前記分割再生モードとが切り換えられることを特徴とする撮像装置。
【請求項２】
前記操作ボタンが所定時間以上押圧操作されることにより、前記１コマ再生モードから前記分割再生モードに切り換えられることを特徴とする請求項１に記載の撮像装置。
【請求項３】
前記操作ボタンの押圧状態が前記分割再生モードに切り換えられた後に解除されることにより該分割再生モードから前記１コマ再生モードに切り換えられることを特徴とする請求項２に記載の撮像装置。
【請求項４】
前記操作ボタンの押圧状態が前記分割再生モードに切り換えられた後に解除されたときに、該分割再生モードを維持するか該分割再生モードから前記１コマ再生モードに切り換えるかを設定するためのモード切換設定手段を備えたことを特徴とする請求項２に記載の撮像装置。
【請求項５】
前記分割再生モードにおいて画像の選択を行う画像選択手段を備え、該画像選択手段による画像の選択により前記分割再生モードから前記１コマ再生モードに切り換えられるとともに、前記表示手段に選択された画像を表示させることを特徴とする請求項１乃至請求項４のいずれか１項に記載の撮像装置。
【請求項６】
前記分割再生モードにおいて前記表示手段の一画面に表示させる画像の数を設定するための分割表示数設定手段を備えたことを特徴とする請求項１乃至請求項５のいずれか１項に記載の撮像装置。
【発明の詳細な説明】
【０００１】
【発明の属する技術分野】
本発明は、表示手段としての内蔵モニタ又は外部モニタの一画面に一つの画像を表示させる１コマ再生モードと、複数の画像を表示させる分割再生モードとを切換可能に備える撮像装置に関する。
【０００２】
【従来の技術】
従来、ユーザーがデジタルカメラ等の撮像装置において撮影画像データ（オリジナル画像データ）の中から所望のものを探し出す場合には、ある撮影画像データに基づく画像をモニタに一画面として表示させた後にコマ送りボタン又はコマ戻しボタンを操作し、撮影画像データを順次切り換えて再生させながら表示された画像が所望のものかどうかを一つ一つ検索・確認することが必要であった。このように撮影画像データを順次再生させたのでは、撮影画像データはデータ量が大きく一回一回の画面の更新に時間がかかるため、この問題を解決すべく、例えば特開平１１−１８０４４号公報に記載されているように、データ量の小さいサムネイル画像データに基づく画像を拡大してモニタに表示させ、これを連続して再生させる連続再生機能を備えることにより、画像検索時の画面の更新時間を短縮化したデジタルカメラが考案されている。
【０００３】
【発明が解決しようとする課題】
ところで、同公報記載のデジタルカメラでは、モニタの一画面に一つの画像のみを表示させるため、検索対象となる画像データが多くなればなるほど画面の更新回数も多くなり、ユーザーが多量の画像の中から所望の画像を見つけ出すのに手間がかかり利便性に欠けるという問題があった。そこで、画面を分割して一度に複数の画像を表示させる分割再生モードを設けることが考えられる。このような分割再生モードにより、ユーザーは一画面で複数の画像を同時に確認することができるようになり、より短時間での画像検索が可能となる。
【０００４】
しかしながら、コマ送りボタン又はコマ戻しボタン操作により１コマ再生モード（通常再生モード）で順次画像を検索しているユーザーが、その１コマ再生モードから分割再生モードに切り換える際に、コマ送りボタン又はコマ戻しボタンから一旦手を離して別途設けられたモード切換用のボタン等を操作しなければならないとするのは、ユーザーにとって煩雑である。特に、そのモード切換用のボタン等の操作後に再度コマ送りボタン又はコマ戻しボタンに戻って所望の画像を選択すると、ユーザーは小まめに手を動かさなければならず操作性に劣る。
【０００５】
本発明は、このような問題に鑑みてなされたもので、操作性を低下させることなく１コマ再生モードと分割再生モードとを切り換えることができる撮像装置を提供することを課題としている。
【０００６】
【課題を解決するための手段】
このような課題を解決するために、請求項１に記載の発明は、表示手段の一画面に一つの画像を表示させる１コマ再生モードと、前記表示手段の一画面に複数の画像を表示させる分割再生モードとを備え、前記１コマ再生モードの実行時に画像を順次表示させるための操作ボタンが設けられ、該操作ボタンにより前記１コマ再生モードと前記分割再生モードとが切り換えられることを特徴とする。
【０００７】
この発明によれば、操作ボタンによって１コマ再生モードと分割再生モードとが切り換えられることとしたので、モードの切換に際して煩わしい操作を必要とせず利便性・操作性の向上を図ることができる。
【０００８】
請求項２に記載の発明は、請求項１に記載の発明において、前記操作ボタンが所定時間以上押圧操作されることにより、前記１コマ再生モードから前記分割再生モードに切り換えられることを特徴とする。
【０００９】
この発明によれば、操作ボタンが所定時間以上押圧操作されることにより分割再生モードに切り換えられることとしたので、容易な操作で１コマ再生モードから分割再生モードに移行させることができる。
【００１０】
請求項３に記載の発明は、請求項２に記載の発明において、前記操作ボタンの押圧状態が前記分割再生モードに切り換えられた後に解除されることにより該分割再生モードから前記１コマ再生モードに切り換えられることを特徴とする。
【００１１】
この発明によれば、操作ボタンの押圧状態が解除されることにより１コマ再生モードに切り換えられることとしたので、煩わしい設定を必要とせず容易に１コマ再生モードに移行させることができる。
【００１２】
請求項４に記載の発明は、請求項２に記載の発明において、前記操作ボタンの押圧状態が前記分割再生モードに切り換えられた後に解除されたときに、該分割再生モードを維持するか該分割再生モードから前記１コマ再生モードに切り換えるかを設定するためのモード切換設定手段を備えたことを特徴とする。
【００１３】
この発明によれば、分割再生モードを維持するか分割再生モードから１コマ再生モードに切り換えるかを設定するためのモード切換設定手段を備えたので、例えば複数の画像を見比べながら検討等を行うために分割再生モードを維持したいときにも操作ボタンを所定時間を超えて押し続ける必要がなく、利便性に優れている。
【００１４】
請求項５に記載の発明は、請求項１乃至請求項４のいずれか１項に記載の発明において、前記分割再生モードにおいて画像の選択を行う画像選択手段を備え、該画像選択手段による画像の選択により前記分割再生モードから前記１コマ再生モードに切り換えられるとともに、前記表示手段に選択された画像を表示させることを特徴とする。
【００１５】
この発明によれば、画像選択手段によって選択された画像を１コマ再生モードに切り換えられる際に表示手段に表示させることとしたので、分割再生モードで所望の画像を選択すれば容易にその画像に対応した撮影画像データを１コマ再生モードにおいて再生し、画像を拡大して見ることができる。したがって、例えば選択した画像が所望の画像か否かを確認することが容易で利便性に優れている。
【００１６】
請求項６に記載の発明は、請求項１乃至請求項５のいずれか１項に記載の発明において、前記分割再生モードにおいて前記表示手段の一画面に表示させる画像の数を設定するための分割表示数設定手段を備えたことを特徴とする。
【００１７】
この発明によれば、分割表示数設定手段を備えることとしたので、一つの画像の表示サイズ等のニーズに合わせて調整することが容易に可能となる。
【００１８】
【発明の実施の形態】
以下、図面を参照して本発明の実施の形態について説明する。
【００１９】
図１及び図２は本発明の実施の形態に係る撮像装置としてのデジタルカメラを示し、このデジタルカメラ１は、後に詳述する１コマ再生モードと分割再生モードとを切換可能に備えている。デジタルカメラ１の正面２の中央には撮影光を入射させるレンズ３が設けられ、レンズ３の上方にはユーザーが目視によって撮影範囲等を確認するための光学ファインダ４と、低照度での撮影時に使用されるストロボ５とが設けられている。また、デジタルカメラ１の上面６にはシャッターボタン７が設けられるとともに、背面８には表示手段としての液晶モニタ９及び操作部１０が設けられている。
【００２０】
液晶モニタ９には、メモリカード１０９（図３参照）等に記録されているデジタル画像データに基づく画像が表示されるとともに、デジタルカメラ１の設定状態、例えば設定されているモードやエラーが表示される。操作部１０には、操作ボタンとしての「コマ送り」ボタン１２及び「コマ戻し」ボタン１３と、「ページ送り」ボタン１４及び「ページ戻し」ボタン１５と、「実行」ボタン１６と、「再生」ボタン１７と、「表示ＯＮ／ＯＦＦ」ボタン１８とが設けられている。
【００２１】
「コマ送り」ボタン１２及び「コマ戻し」ボタン１３は、それぞれ液晶モニタ９に表示される画像のコマ送り、コマ戻しを指示するためのボタンであり、「ページ送り」ボタン１４及び「ページ戻し」ボタン１５は、それぞれ液晶モニタ９に分割再生モード時に表示される画面（図８における符号６０１参照）のページ送り又はページ戻しを指示するためのボタンである。また、「実行」ボタン１６はカーソル（図８における符号６０２参照）によって選択された画像の１コマ再生を実行するためのボタンであり、「再生」ボタン１７はメモリカード１０９等に記録されている撮影画像データを再生するためのボタンであり、「表示ＯＮ／ＯＦＦ」ボタン１８は上記設定状態の表示／非表示を切り換えるためのボタンである。
【００２２】
図３はデジタルカメラ１の概略構成を示す。この図３において、符号１０２はレンズユニット部、１０３はＣＣＤ（電荷結合素子）、１０４はＣＤＳ回路（相関二重サンプリング回路）、１０５はＡ／Ｄ変換部、１０６はデジタル信号処理回路、１０７は圧縮伸長回路、１０８はＤＲＡＭ、１０９はメモリカード、１１１はドライバ、１１２はＳＧ部（制御信号生成部）、１１３はＣＰＵ、１１６はマイク、１１７はアンプ・フィルタ部、１１８はＤ／Ａ変換部、１１９は音声データ圧縮伸長回路、１２０はＡ／Ｄ変換部、１２１はアンプ・フィルタ部、１２２はＯＳＤ、１２３はＲＡＭ、１２４はＣＰＵバス、１２５はＤＣ／ＤＣコンバータをそれぞれ表している。
【００２３】
上記デジタルカメラ１の構成要素のうち、まず映像に関する信号処理部分について説明すると、レンズユニット部１０２はレンズ３、メカ機構１２６から構成され、メカ機構１２６は２つのフィールドの同時露光を行うメカニカルシャッター、オートフォーカス（ＡＦ）、絞り、フィルター部を備えている。
【００２４】
ＣＣＤ１０３はこのレンズユニット部１０２を介して入力された映像を電気信号（アナログ画像データ）に変換し、ＣＤＳ回路１０４はこの電気信号のノイズを低減させる。Ａ／Ｄ変換部１０５はＣＤＳ回路１０４によって低ノイズ化された電気信号を最適なサンプリング周波数（例えば、ＮＴＳＣ信号のサブキャリア周波数の整数倍）でデジタル信号（デジタル画像データ）に変換する。
【００２５】
デジタル信号処理回路１０６はＡ／Ｄ変換部１０５によって変換されたデジタル画像データを輝度データと色差データとに分けて、γ（ガンマ）補正及び画像圧縮・伸長のためのデータ処理等を行う。
【００２６】
圧縮伸長回路１０７はＪＰＥＧに準拠しており、デジタル画像データを直交変換・ハフマン符号化して圧縮、或いはハフマン復号化・逆直交変換して伸長する。
【００２７】
一方、音声に関する信号処理部分については、マイク１１６に内蔵された音声電気信号変換素子が音声を電気信号（アナログ音声データ）に変換した後、アンプ・フィルタ部１１７が増幅して必要帯域にカットオフする。Ｄ／Ａ変換部１１８は所定帯域の２倍以上のサンプリング周波数でデジタル音声データに変換し、音声データ圧縮伸長回路１１９は圧縮・符号化処理を行う。
【００２８】
このように圧縮処理されたデジタル画像データは画像データファイルとして、また圧縮処理されたデジタル音声データは音声データファイルとしてメモリカード１０９が記録する。また、ＤＲＡＭ１０８は圧縮処理されたデジタル画像データを一時的に格納する。
【００２９】
ＣＰＵ１１３はＲＡＭ１２３を有し、ＣＰＵバス１２４を介してデジタル信号処理回路１０６、ＤＲＡＭ１０８、メモリカード１０９等と接続されている。ＣＰＵ１１３は操作部１０からの指示や図示を略すリモコン等の外部動作指示に応じて、図示を略すＲＯＭに格納された制御プログラムに従って、デジタルカメラ１の各部の動作を制御する。例えば、ＣＰＵ１１３はメモリカード１０９へのデジタル画像データ及びデジタル音声データの記録動作の制御、メモリカード１０９に記録されているデジタル画像データ及びデジタル音声データの再生動作の制御等を行う。
【００３０】
ＤＣ／ＤＣコンバータ１２５は電池１２７又はＡＣアダプタ１２８からの入力電圧を変圧してデジタルカメラ１に電源を供給する。
【００３１】
図４は、メモリカード１０９のフォーマットの一例を示す図である。このフォーマットはパソコン用のＤＯＳのフォーマットと同一のものとなっている。メモリカード１０９は、アトリビュート領域２０１と、ブートセレクタ領域２０２と、ＦＡＴ領域２０３と、ディレクトリエントリ領域２０４と、画像データファイル領域２０５と、音声データファイル領域２０６とから構成されている。
【００３２】
ブートセレクタ領域２０２には、メモリカード１０９からデータを読み書きする場合に必要なパラメータ、すなわちＦＡＴ（ｆｉｌｅ　ａｌｌｏｃａｔｉｏｎ　ｔａｂｌｅ）や、ディレクトリエントリ等が記録される。
【００３３】
アトリビュート領域２０１には、デバイス種類、アクセス速度、記憶容量等のカード属性情報が格納される。
【００３４】
ＦＡＴ領域２０３には、各ファイルのデータが記録されている状態の情報であるＦＡＴエントリが書き込まれる。なお、データが記録されているメモリ上の位置はデータの書き込み単位の番号となるクラスタ番号で示されている。
【００３５】
ディレクトリエントリ領域２０４には、図５に示すように、記録したデータのファイル名、ファイル属性、予約領域、作成・更新時刻、作成・更新日付、対応するファイル又はサブディレクトリエントリの物理的位置（ＦＡＴ開始番号）、ファイルサイズ等の情報がそれぞれ記録されている。ファイル名については、対応するものがデータファイルであるときには、ファイルの属性情報の１つである拡張子を含むファイル名が記録される。
【００３６】
画像データファイル領域２０５には、画像データファイルが格納され、図６に示すように、各画像データファイル、例えばＲＩＭＧ０００１．ＪＰＧ、ＲＩＭＧ０００２．ＪＰＧ、ＲＩＭＧ０００３．ＪＰＧ、ＲＩＭＧ０００４．ＪＰＧ等が順次固定長のデータで書き込まれている。また、画像データファイルは、画像ヘッダーと、画像データとから構成されている。画像ヘッダーには、ファイル属性、個別規格名称、規格のバージョン、画像データの関連情報、記録モード等が記録される。画像データは、上記にデジタル画像データとして説明した撮影画像データ（オリジナル画像データ）と、この撮影画像データの画素の一部をある間隔ごとに間引いて生成されたサムネイル画像データとからなる。
【００３７】
音声データファイル領域２０６は、音声データファイルを格納する。
【００３８】
デジタルカメラ１の画像データの記録動作について説明すると、まず、レンズユニット部１０２を介して入力される被写体映像は、ＣＣＤ１０３で電気信号（アナログ画像データ）に変換された後、ＣＤＳ回路１０４を経て、Ａ／Ｄ変換部１０５に入力されデジタル画像データに変換される。変換されたデジタル画像データは、デジタル信号処理回路１０６で信号処理されて、ＣＰＵバス１２４を介してＤＲＡＭ１０８に格納される。ＤＲＡＭ１０８に格納されたデジタル画像データは、ＣＰＵバス１２４を介して圧縮伸長回路１０７に入力され圧縮処理されて、再びＤＲＡＭ１０８に格納される。ＣＰＵ１１３は、ＤＲＡＭ１０８に格納されている圧縮処理されたデジタル画像データをＣＰＵバス１２４を介してメモリカード１０９に所定形態で画像データファイルとして記録させる。また、圧縮処理されたデジタル画像データに対応するサムネイル画像データを同一の画像データファイルとして併せて記録させる。
【００３９】
また、デジタルカメラ１の画像データの再生動作について説明すると、操作部１０の操作により再生すべきメモリカード１０９の画像データファイルが指定され、この画像データファイルの圧縮されたデジタル画像データが読み出されて、ＤＲＡＭ１０８に格納される。このＤＲＡＭ１０８に格納されたデジタル画像データは、ＣＰＵバス１２４を介して圧縮伸長回路１０７に入力され、伸長処理されて、再び、ＤＲＡＭ１０８に格納される。ＤＲＡＭ１０８に格納され伸長処理されたデジタル画像データは、ＣＰＵバス１２４を介してデジタル信号処理回路１０６に入力され、ビデオ信号に変換され液晶モニタ９に表示される。
【００４０】
このデジタルカメラ１は、液晶モニタ９に一画面として一つの画像を表示させる１コマ再生モードと、画面を分割して一画面として複数の画像を表示させる分割再生モードとを備えており、１コマ再生モードでは撮影画像データの再生により、また分割再生モードではサムネイル画像データの再生によりそれぞれ画像が表示される。図７の上段図は１コマ再生モード時の画面の例を、図８の下段左図、下段中央図、下段右図は分割再生モード時においてそれぞれ４分割、６分割及び９分割としたときの画面の例を示したものである。符号６０２は画像を選択するためのカーソルである。
【００４１】
１コマ再生モードと分割再生モードとは切り換えが可能であり、この切り換えは、「コマ送り」ボタン１２又は「コマ戻し」ボタン１３によって行われる。具体的には、最初に「再生」ボタン１７を押すことにより１コマ再生モードによって一つの画像が表示されるので、この１コマ再生モードを分割再生モードに切り換えたい場合には、「コマ送り」ボタン１２又は「コマ戻し」ボタン１３を所定時間以上連続して押すことにより分割再生モードに移行させることができる。
【００４２】
また、図７に示すように、ユーザーは分割再生モード時に一画面として表示される画像の数（分割表示数）を設定することができる。具体的には、液晶モニタ９に表示されたメニュー画面において分割表示数を選択することにより行う。
【００４３】
さらに、分割再生モードに切り換わった後に「コマ送り」ボタン１２又は「コマ戻し」ボタン１３から押していた指を離した場合にも、分割再生モードを維持するか分割再生モードから１コマ再生モードに切り換えるかを設定することが可能となっている。具体的には、液晶モニタ９に表示されたメニュー画面において分割再生モードの維持を選択することにより行う。
【００４４】
図８はデジタルカメラにおける制御動作を示すフローチャートである。以下に、メモリカード１０９に記録された画像データの再生を例にして説明する。
【００４５】
ＣＰＵ１１３はまず操作部１０の「再生」ボタン１７が押されたか否かを判断し（Ｓ５０１）、押されたと判断した場合は１コマ再生モードに移行して、メモリカード１０９に記録された１つの撮影画像データの１コマ再生処理を行い（Ｓ５０２）、その撮影画像データに基づく画像を液晶モニタ９に１コマ表示させる（Ｓ５０３）。
【００４６】
つぎに、ＣＰＵ１１３は操作部１０の「コマ送り」ボタン１２又は「コマ戻し」ボタン１３が押されたか否かを判断し（Ｓ５０４）、押されたと判断した場合は、「コマ送り」ボタン１２又は「コマ戻し」ボタン１３が所定時間以上（例えば２秒以上）連続して押されているか否か（押圧状態か否か）を判断する（Ｓ５０５）。所定時間以上押されていないと判断した場合は、ステップＳ５０２において再生処理された撮影画像データの次又は前に記録された撮影画像データの１コマ再生処理を行い（Ｓ５０６）、その撮影画像データに基づく画像を液晶モニタ９に表示させ（Ｓ５０７）、ステップＳ５０４に戻る。一方、ステップＳ５０５において「コマ送り」ボタン１２又は「コマ戻し」ボタン１３が所定時間以上押されていると判断した場合には、例えば図７に示すように、ＣＰＵ１１３は１コマ再生モードから分割再生モードに移行し、図７の下段中央図の例でいえば、画面を６つに分割して一度に６つのサムネイル画像データの再生処理を行い（Ｓ５０８）、これらのサムネイル画像データに基づく６つの画像を一画面として液晶モニタ９に表示させる（Ｓ５０９）。なお、ＣＰＵ１１３は、例えば６分割から９分割へ分割表示数の変更がなされた場合には、９つの画像を一画面に表示させるように再生処理の変更を行う（図７下段中央図、下段右図参照）。
【００４７】
つぎに、ＣＰＵ１１３は「コマ送り」ボタン１２又は「コマ戻し」ボタン１３の押圧状態が解除されたか否かを判断し（Ｓ５１０）、解除されていないと判断した場合には、カーソル６０２を次又は前の画像に移動させた後（Ｓ５１１）、ステップＳ５１０に戻る。すなわち、例えばカーソル６０２が図９に示すポジションＢに位置するときに、ステップＳ５１０において「コマ送り」ボタン１２の押圧状態が解除されていないと判断した場合は、カーソル６０２をポジションＣに移動させ、ステップＳ５１０において「コマ戻り」ボタン１３の押圧状態が解除されていないと判断した場合は、カーソル６０２をポジションＡに移動させる。したがって、「コマ送り」ボタン１２又は「コマ戻し」ボタン１３の押圧状態が解除されない（継続して押し続けられる）限り、カーソル６０２は次の画像、次の画像へ（図９に示すｄ１方向へ）又は前の画像、前の画像へ（図９に示すｄ２方向へ）順次移動していくことになる。一方、ステップＳ５１０において「コマ送り」ボタン１２又は「コマ戻し」ボタン１３の押圧状態が解除されたと判断した場合には、ＣＰＵ１１３は解除後も分割再生モードを維持する設定になっているか否かを判断する（Ｓ５１２）。分割再生モードを維持する設定になっていないと判断した場合は、ＣＰＵ１１３は１コマ再生モードに移行するとともに、移行直前にカーソル６０２によって選択されていた画像に対応する撮影画像データの１コマ再生処理を行い（Ｓ５１３）、その撮影画像データに基づく画像を液晶モニタ９に１コマ表示させる（Ｓ５１４）。ステップＳ５１２において分割再生モードを維持する設定になっていると判断した場合は、ＣＰＵ１１３は「コマ送り」ボタン１２が押されたか否かを判断する（Ｓ５１５）。「コマ送り」ボタン１２が押されたと判断した場合は、カーソル６０２を次の画像に移動させた後（Ｓ５１６）、ステップＳ５１７に移行する。一方、ステップＳ５１５においてＣＰＵ１１３は「コマ送り」ボタン１２が押されなかったと判断した場合は、直接ステップＳ５１７に移行する。
【００４８】
つぎにＣＰＵ１１３は、ステップＳ５１７において「コマ戻し」ボタン１３が押されたか否かを判断する。「コマ戻し」ボタン１３が押されたと判断した場合は、カーソル６０２を前の画像に移動させた後（Ｓ５１８）、ステップＳ５１９に移行する。一方、Ｓ５１７においてＣＰＵ１１３は「コマ戻し」ボタン１３が押されなかったと判断した場合は、直接ステップＳ５１９に移行する。
【００４９】
なお、例えば図９の左図に示すように、カーソル６０２が画面６０１の最後の位置（ポジションＤの位置）にあるときに、ＣＰＵ１１３がステップＳ５１５において「コマ送り」ボタン１２が押されたと判断した場合は、図９の右図に示すように、ポジションＤの画像のサムネイル画像データの次に記録された連続する６つのサムネイル画像データに基づく６つの画像を順番通りに液晶モニタ９に画面６０１’として表示させた後、この画面６０１’のポジションＡ’にカーソル６０２を移動させる。また、これとは逆に図９の右図に示すように、カーソル６０２が画面６０１’の最初の位置（ポジションＡ’）にあるときに、ＣＰＵ１１３がステップＳ５１７において「コマ戻し」ボタン１３が押されたと判断した場合は、図９の左図に示すように、ポジションＡ’の画像のサムネイル画像データの前に記録された連続する６つのサムネイル画像データに基づく６つの画像を順番通りに液晶モニタ９に画面６０１として表示させた後、この画面６０１のポジションＤにカーソル６０２を移動させる。このようにすることで、「コマ送り」ボタン１２又は「コマ戻し」ボタン１３の操作のみで連続した画像を順次選択することができるので、画像選択における操作性を向上させることができる。
【００５０】
つぎにＣＰＵ１１３は、ステップＳ５１９において「ページ送り」ボタン１４が押されたか否かを判断する。「ページ送り」ボタン１４が押されたと判断した場合は、例えば図１０の左図から図１０の右図に画面が換わる。すなわち、ステップＳ５１９の時点で液晶モニタ９に表示されている画像（図１０の左図）のサムネイル画像データの次に記録された連続する６つのサムネイル画像データの再生処理を一度に行い、画面を６つに分割してこれらのサムネイル画像データに基づく６つの画像を順番通りに液晶モニタ９に一画面として表示（図１０の右図）させた後（Ｓ５２０）、ステップＳ５２１に移行する。一方、ステップＳ５１９においてＣＰＵ１１３は「ページ送り」ボタン１４が押されなかったと判断した場合は、直接ステップＳ５２１に移行する。
【００５１】
つぎにＣＰＵ１１３は、ステップＳ５２１において「ページ戻し」ボタン１５が押されたか否かを判断する。「ページ戻し」ボタン１５が押されたと判断した場合は、例えば図１０の左図から図１０の右図に画面が換わる。すなわち、ステップＳ５２１の時点で液晶モニタ９に表示されている画像（図１０の右図）のサムネイル画像データの前に記録された連続する６つのサムネイル画像データの再生処理を一度に行い、画面を６つに分割してこれらのサムネイル画像データに基づく６つの画像を順番通りに液晶モニタ９に一画面として表示（図１０の左図）させた後（Ｓ５２２）、ステップＳ５２３に移行する。一方、ステップＳ５２１においてＣＰＵ１１３は「ページ戻し」ボタン１５が押されなかったと判断した場合は、直接Ｓ５２３に移行する。
【００５２】
なお、例えば分割表示数を６とした場合を例にとると、メモリカード１０９の最後に記録されたサムネイル画像データに対応する画像が液晶モニタ９に表示されているときに、ＣＰＵ１１３がステップ５１９において「ページ送り」ボタン１４が押されたと判断した場合は、メモリカード１０９の最初に記録されたサムネイル画像データから順に次の連続する５つのサムネイル画像データまでに対応する６つの画像を順番通りに液晶モニタ９に一画面として表示させる。また、これとは逆にメモリカード１０９の最初に記録されたサムネイル画像データに対応する画像が液晶モニタ９に表示されているときに、ＣＰＵ１１３がステップ５２１において「ページ戻し」ボタン１５が押されたと判断した場合は、メモリカード１０９の最後に記録されたサムネイル画像データから遡って前の連続する５つのサムネイル画像データまでに対応する６つの画像を順番通りに液晶モニタ９に一画面として表示させる。このようにすることで、６つずつ画像を同時に一画面に表示することができるので、より短時間で画像検索が可能になる。
【００５３】
つぎにＣＰＵ１１３は、ステップＳ５２３において「実行」ボタン１６が押されたか否かを判断する。「実行」ボタン１６が押されたと判断した場合は、１コマ再生モードに移行し、ＣＰＵ１１３は「実行」ボタン１６が押された時にカーソル６０２により選択されていた画像に対応する撮影画像データの１コマ再生処理を行い（Ｓ５２４）、その撮影画像データに基づく画像を液晶モニタ９に１コマ表示させる（Ｓ５２５）。一方、ステップＳ５２３において、ＣＰＵ１１３は「実行」ボタン１６が押されなかったと判断した場合は、ステップＳ５１５に戻る。
【００５４】
この実施の形態に係るデジタルカメラ１では、「コマ送り」ボタン１２及び「コマ戻し」ボタン１３が所定時間以上連続して押されているか否かによって分割再生モード又は１コマ再生モードが切り換えられることとしたので（ステップＳ５０５〜Ｓ５０９）、例えば、ユーザーが１コマ再生モードで画像を順次表示させている途中で画像検索を行う際にも、「コマ送り」ボタン１２又は「コマ戻し」ボタン１３から手を離さずに分割再生モードに切り換えることができ、また、分割再生モードに切り換わった後もそのまま「コマ送り」ボタン１２又は「コマ戻し」ボタン１３を操作することによって所望の画像を選択することができるので、煩わしい操作を必要とせず利便性・操作性の向上を図ることができる。
【００５５】
また、分割再生モードにおいて、「コマ送り」ボタン１２又は「コマ戻し」ボタン１３の押圧状態が解除された際に、分割再生モードを維持するか分割再生モードから１コマ再生モードに切り換えるかを予め設定することを可能としたので、分割再生モードの維持設定を行った場合には、例えば複数の画像を見比べながら検討等を行いたいときにも「コマ送り」ボタン１２又は「コマ戻し」ボタン１３を所定時間を超えて押し続ける必要がなく、利便性に優れている。
【００５６】
さらに、分割再生モードから１コマ再生モードに切り換わる際には、切り換わる直前にカーソル６０２によって選択されていた画像に対応する撮影画像データを１コマ再生モードにおいて再生することとしたので、ユーザーは分割再生モードで所望の画像を選択すれば容易にその画像に対応した撮影画像データを１コマ再生モードにおいて再生し、画像を拡大して見ることができる。したがって、例えば選択した画像が所望の画像か否かを確認すること等が容易で利便性に優れている。
【００５７】
分割再生モードにおいて一画面に表示可能な画像の数を選択することができることとしたので、一つの画像の表示サイズ等ユーザーのニーズに合わせて調整することが容易に可能となる。
【００５８】
なお、本発明は本実施の形態に限られるものではなく、例えば、本実施の形態では「コマ送り」ボタン１２及び「コマ戻し」ボタン１３はデジタルカメラ１の背面の操作部１０に設けられたものとしたが、例えばリモコン等に設けられたものであってもよい。
【００５９】
また、「コマ送り」ボタン１２又は「コマ戻し」ボタン１３が所定時間以上連続して押されたか否かによって１コマ再生モードと分割再生モードとを切り換えることとしたが、例えば「コマ送り」ボタン１２又は「コマ戻し」ボタン１３が一度押しされたか、又は二度短押しされたかによって切り換えることとしてもよい。
【００６０】
また、「コマ送り」ボタン１２又は「コマ戻し」ボタン１３の押圧状態の解除後もステップＳ５１２において分割再生モードを維持する設定になっているか否かを判断することとなっているが、このような設定手段を設けず押圧状態が解除されたときは１コマ再生モードに切り換えることとしてもよい。
【００６１】
さらに、分割再生モード時の画像はサムネイル画像データに基づくこととしたが、撮影画像データに基づくものであってもよい。ただし、本実施の形態ではサムネイル画像データによるものとしたので、データ量が小さく伸長に要する時間を短縮することができ、より短時間で画像検索を行うことを可能にする。
【００６２】
【発明の効果】
以上説明したように、請求項１に係る発明によれば、操作ボタンによって１コマ再生モードと分割再生モードとが切り換えられることとしたので、モードの切換に際して煩わしい操作を必要とせず利便性・操作性の向上を図ることができる。
【００６３】
請求項２に係る発明によれば、操作ボタンが所定時間以上押圧操作されることにより分割再生モードに切り換えられることとしたので、容易な操作で１コマ再生モードから分割再生モードに移行させることができる。
【００６４】
請求項３に係る発明によれば、操作ボタンの押圧状態が解除されることにより１コマ再生モードに切り換えられることとしたので、煩わしい設定を必要とせず容易に１コマ再生モードに移行させることができる。
【００６５】
請求項４に係る発明によれば、分割再生モードを維持するか分割再生モードから１コマ再生モードに切り換えるかを設定するためのモード切換設定手段を備えたので、例えば複数の画像を見比べながら検討等を行うために分割再生モードを維持したいときにも操作ボタンを所定時間を超えて押し続ける必要がなく、利便性に優れている。
【００６６】
請求項５に係る発明によれば、画像選択手段によって選択された画像を１コマ再生モードに切り換えられる際に表示手段に表示させることとしたので、分割再生モードで所望の画像を選択すれば容易にその画像に対応した撮影画像データを１コマ再生モードにおいて再生し、画像を拡大して見ることができる。したがって、例えば選択した画像が所望の画像か否かを確認することが容易で利便性に優れている。
【００６７】
請求項６に係る発明によれば、分割表示数設定手段を備えることとしたので、一つの画像の表示サイズ等のニーズに合わせて調整することが容易に可能となる。
【図面の簡単な説明】
【図１】本発明の実施の形態に係るデジタルカメラの正面斜視図である。
【図２】本発明の実施の形態に係るデジタルカメラの背面斜視図である。
【図３】図１のデジタルカメラの内部構成を示すブロック図である。
【図４】メモリカードのフォーマットの一例を示す図である。
【図５】ディレクトリエントリ領域に記録された画像データに関する情報の一例を示す図である。
【図６】画像データファイル領域に記録された画像データファイルとその構成の一例を示す図である。
【図７】ＬＣＤに表示された画面の一例を示す図である。
【図８】図１のデジタルカメラにおける制御動作を示すフローチャートである。
【図９】「コマ送り」ボタン又は「コマ戻し」ボタンが押された場合における画面の例を説明する図である。
【図１０】「ページ送り」ボタン又は「ページ戻し」ボタンが押された場合における画面の例を説明する図である。
【符号の説明】
１　　　　　　デジタルカメラ（撮像装置）
９　　　　　　液晶モニタ（表示手段）
１２　　　　　　「コマ送り」ボタン（操作ボタン）
１３　　　　　　「コマ戻し」ボタン（操作ボタン）
１６　　　　　　「実行」ボタン（選択手段）
６０１、６０１’　画面
６０２　　　　　　カーソル（選択手段）
【図１】
2004072257.tif 000003
【図２】
2004072257.tif 000004
【図３】
2004072257.tif 000005
【図４】
2004072257.tif 000006
【図５】
2004072257.tif 000007
【図６】
2004072257.tif 000008
【図７】
2004072257.tif 000009
【図８】
2004072257.tif 000010
【図９】
2004072257.tif 000011
【図１０】
2004072257.tif 000012